(57)【特許請求の範囲】
【請求項１】
熱交換器、送風機等が設置されているベース本体の前面側を被うフロントカバーの前面にフロントパネルが上部を支点に上方に開閉自在に設けられているとともに、前記フロントカバーの前面および上面側に前記熱交換器に対する空気吸込み口の全面を覆うエアフィルタがフィルタ清掃機構を介してフィルタ移動経路に沿って移動可能に付設されている空気調和機において、
前記フィルタ清掃機構は、前記フロントカバーの前面下方部位に設けられ、フィルタ駆動ローラにより前記エアフィルタを前記フィルタ移動経路に沿って移動可能な構成とされているとともに、前記フロントパネルの裏面に、前記フィルタ移動経路の一部を形成するフィルタガイド部材が固定設置され、そのフィルタガイド部材に、前記エアフィルタを前記フィルタ駆動ローラ側へと押し込むフィルタ押え部が形成されていることを特徴とする空気調和機。
【請求項２】
前記フィルタガイド部材は、前記フロントパネルの裏面の複数箇所に設けられている係止部に嵌着部を嵌め込むことにより一体に係止めされていることを特徴とする請求項１に記載の空気調和機。
【請求項３】
前記フロントパネルは、左右両端上部を支点に前記フロントカバーに対して上下に開閉可能とされていることを特徴とする請求項１または２に記載の空気調和機。
【発明の詳細な説明】
【技術分野】
【０００１】
本発明は、エアフィルタを自動的に清掃するフィルタ清掃機構を備えている空気調和機に関するものである。
【背景技術】
【０００２】
エアフィルタで捕集された塵埃が蓄積されると、通風抵抗が増大し、空気調和機の運転効率が低下する。そこで、エアフィルタにより捕集された塵埃を定期的に除去し、エアフィルタを自動清掃するフィルタ清掃機構を備えた空気調和機が提供されている。また、フィルタ清掃機構として、様々な方式が提案されている。その一例として、熱交換器の上流側に配設されているエアフィルタをフィルタガイド部材に沿って移動させ、その移動経路上に設置されている回転ブラシ等を介してエアフィルタ上の塵埃を掻き取り、それをダストボックス内に回収するようにしたものが知られている（例えば、特許文献１参照）。
【０００３】
かかる空気調和機では、熱交換器の上流側に沿って空気吸込み口の全面を覆うように配設されているエアフィルタを、通常の付設位置からフィルタ移動経路に沿って筐体内の前面側や上面側に移動させるようにしている。このため、フィルタ移動経路は、構成が複雑になり勝ちであり、その分だけ部品数が多くなる傾向がある。特に、筐体の前面側においては、エアフィルタを着脱可能な構成としなければならず、特許文献１のものでは、前面側のフィルタガイド部材が可動ガイド部材とされ、エアフィルタを着脱する際、上方に開放されるように構成されている。
【先行技術文献】
【特許文献】
【０００４】
【特許文献１】特開２００８−５７８８０号公報
【発明の概要】
【発明が解決しようとする課題】
【０００５】
しかしながら、特許文献１に示されるように、筐体の前面側に可動ガイド部材を設けたものでは、フィルタ清掃時、エアフィルタを移動経路に沿って円滑に移動させることができる半面、エアフィルタの着脱性が悪化するという課題があった。つまり、エアフィルタをメンテナンス時等に着脱する際、先ず筐体の前面に設けられているフロントパネルを開放した後、更に可動ガイド部材を開く作業が必要となり、フィルタ清掃機構を搭載することによって、エアフィルタの着脱性が低下してしまうという問題があった。
【０００６】
また、可動ガイド部材を設置するためには、前面側のフィルタガイド部材を固定側部材と可動側部材とに分けて構成する必要があり、しかも可動側部材を可動できるように結合するための部品が必要となることから、構成の複雑化や部品数が増加することは避けられなかった。
【０００７】
本発明は、このような事情に鑑みてなされたものであって、フィルタ清掃機構付きにもかかわらず、エアフィルタの着脱の容易性を確保することができるとともに、その構成を極力簡素化することができる空気調和機を提供することを目的とする。
【課題を解決するための手段】
【０００８】
上記した課題を解決するために、本発明の空気調和機は、以下の手段を採用する。
すなわち、本発明にかかる空気調和機は、熱交換器、送風機等が設置されているベース本体の前面側を被うフロントカバーの前面にフロントパネルが上部を支点に上方に開閉自在に設けられているとともに、前記フロントカバーの前面および上面側に前記熱交換器に対する空気吸込み口の全面を覆うエアフィルタがフィルタ清掃機構を介してフィルタ移動経路に沿って移動可能に付設されている空気調和機において、前記フィルタ清掃機構は、前記フロントカバーの前面下方部位に設けられ、フィルタ駆動ローラにより前記エアフィルタを前記フィルタ移動経路に沿って移動可能な構成とされているとともに、前記フロントパネルの裏面に、前記フィルタ移動経路の一部を形成するフィルタガイド部材が固定設置され、そのフィルタガイド部材に、前記エアフィルタを前記フィルタ駆動ローラ側へと押し込むフィルタ押え部が形成されていることを特徴とする。
【０００９】
本発明によれば、前面にフロントパネルが上部を支点に上方に開閉自在に設けられているフロントカバーの前面および上面側に熱交換器に対する空気吸込み口の全面を覆うエアフィルタがフィルタ清掃機構を介してフィルタ移動経路に沿って移動可能に付設されている空気調和機にあって、フィルタ清掃機構がフロントカバーの前面下方部位に設けられ、フィルタ駆動ローラによりエアフィルタをフィルタ移動経路に沿って移動可能な構成とされているとともに、フロントパネルの裏面に、フィルタ移動経路の一部を形成するフィルタガイド部材が固定設置され、そのフィルタガイド部材に、エアフィルタをフィルタ駆動ローラ側へと押し込むフィルタ押え部が形成されているため、エアフィルタを移動経路に沿って移動しながら捕集された塵埃を自動清掃する方式のフィルタ清掃機構を備えた空気調和機であっても、フィルタ清掃機構がフロントカバーの前面下方部位に設けられていることから、フロントパネルを上部を支点に上方に開放するだけで、エアフィルタの移動経路の一部を形成しているフィルタガイド部材を同時に開放することができる。従って、フロントパネルを開放することにより直接エアフィルタにアクセスすることが可能となり、フィルタ清掃機構付きにもかかわらず、エアフィルタの着脱を単純化、容易化することができるとともに、その構成を簡素化することができる。また、フロントパネルの裏面に設けられているフィルタガイド部材をフィルタ移動経路の一部を形成するフィルタガイドとして機能させることができるのみならず、フィルタ移動経路に沿って移動されるエアフィルタをフィルタ駆動ローラ側へと押し込むフィルタ押えとしても機能させることができるため、フィルタ清掃時、エアフィルタをフィルタ移動経路に沿って円滑に移動させ、エアフィルタの移動を安定化して確実に自動清掃することができ、フィルタ清掃機構の信頼性を向上することができる。
【００１０】
さらに、本発明の空気調和機は、上記の空気調和機において、前記フィルタガイド部材は、前記フロントパネルの裏面の複数箇所に設けられている係止部に嵌着部を嵌め込むことにより一体に係止めされていることを特徴とする。
【００１１】
本発明によれば、フィルタガイド部材が、フロントパネルの裏面の複数箇所に設けられている係止部に嵌着部を嵌め込むことにより一体に係止めされているため、フロントパネルに対してフィルタガイド部材をフロントパネル側の係止部にフィルタガイド部材側の嵌着部を嵌め込むだけで簡単に係止めすることができる。従って、余計な結合手段、部品を用いることなく、フロントパネルとフィルタガイド部材とを一体化することができ、組み立てを容易化することができる。
【００１２】
さらに、本発明の空気調和機は、上述のいずれかの空気調和機において、前記フロントパネルは、左右両端上部を支点に前記フロントカバーに対して上下に開閉可能とされていることを特徴とする。
【００１３】
本発明によれば、フロントパネルが、左右両端上部を支点にフロントカバーに対して上下に開閉可能とされているため、フロントパネルをその上部を支点に上方に開放することにより、エアフィルタに対してフロントカバーの正面側から直接アクセスすることが可能となる。従って、エアフィルタを下方に引く抜くことによって簡易に着脱し、容易にメンテナンスすることができ、エアフィルタの着脱性を確保することができる。
【発明の効果】
【００１４】
本発明によると、エアフィルタを移動経路に沿って移動しながら捕集された塵埃を自動清掃する方式のフィルタ清掃機構を備えた空気調和機であっても、フィルタ清掃機構がフロントカバーの前面下方部位に設けられていることから、フロントパネルをその上部を支点に上方に開放するだけで、エアフィルタの移動経路の一部を形成しているフィルタガイド部材を同時に開放することができるため、フロントパネルを開放することにより直接エアフィルタにアクセスすることが可能となり、フィルタ清掃機構付きにもかかわらず、エアフィルタの着脱を単純化、容易化することができるとともに、その構成を簡素化することができる。また、フロントパネルの裏面に設けられているフィルタガイド部材をフィルタ移動経路の一部を形成するフィルタガイドとして機能させることができるのみならず、フィルタ移動経路に沿って移動されるエアフィルタをフィルタ駆動ローラ側へと押し込むフィルタ押えとしても機能させることができるため、フィルタ清掃時、エアフィルタをフィルタ移動経路に沿って円滑に移動させ、エアフィルタの移動を安定化して確実に自動清掃することができ、フィルタ清掃機構の信頼性を向上することができる。
【図面の簡単な説明】
【００１５】
【図１】本発明の一実施形態にかかる空気調和機の斜視図である。
【図２】図１に示す空気調和機のフロントパネルを取外した状態の斜視図である。
【図３】図１に示す空気調和機の縦断面図である。
【図４】図１に示す空気調和機のフロントパネルを内面側から見た斜視図である。
【図５】図４に示すフロントパネルのＡ−Ａ断面相当図である。
【発明を実施するための形態】
【００１６】
以下に、本発明の一実施形態について、図１ないし図５を参照して説明する。
図１には、本発明の一実施形態にかかる空気調和機の斜視図が示され、図２には、そのフロントパネルを取外した状態の斜視図、図３には、その縦断面図が示されている。ここでは、壁掛け型の空気調和機１が例示されている。
空気調和機１は、ベース本体２と、該ベース本体２にその前方部位を上下、左右、および前面から被うように取り付けられたフロントカバー３と、該フロントカバー３の前面に開閉自在に取り付けられたフロントパネル４とから構成された横長長方形状の筐体５を備えている。
【００１７】
筐体５を構成しているフロントカバー３の前面および上面は、その略全面が格子状の桟６，７とされ、該桟６，７により空気吸込み口８が形成されるとともに、該桟６，７がフィルタガイドを兼ねるように構成されている。フロントカバー３の上面には、吸込みグリル９が設置されており、また、その下面の前方部位には、略全幅にわたり温調された空気を室内に吹出すための吹出し口１０が開口されている。空気吹出し口１０には、風向を左右方向に変更する複数枚のルーバ１１と、風向を上下方向に変更するとともに、空気吹出し口１０を閉鎖可能な左右に２分割されている上下各２枚の水平フラップ１２が設けられている。このルーバ１１および水平フラップ１２は、図示省略のモータによって、それぞれ独立して回動されるように構成されている。
【００１８】
筐体５内には、前面および上面の空気吸込み口８から下面前方部位の空気吹出し口１０に至る間に空気流路１３が形成されており、該空気流路１３中に上流側からエアフィルタ１４、室内熱交換器（熱交換器）１５、送風機１６が順次配設されている。吸込みグリル９を介して吸込まれた室内空気は、エアフィルタ１４を通過して塵埃が除去された後、室内熱交換器１５により冷却または加熱され、送風機１６を介して空気吹出し口８から室内に吹出されるようになっている。エアフィルタ１４は、左右に２分割されて設置され、該エアフィルタ１４の背面側の前面上方部位には、それぞれ横長の空清フィルタ１７がフィルタ保持枠１８を介して配設されている。
【００１９】
室内熱交換器１５は、概略Λ形状に折り曲げ形成されたプレートフィンチューブ型熱交換器とされ、筐体５内において、前面の下部位置から上面および後面にかけて配設されている。この室内熱交換器１５の下流側において、その内側空間内に送風機１６を構成する細長い筒状のクロスフローファンが配設されている。エアフィルタ１４は、室内熱交換器１２の上流側において、筐体５を構成しているフロントカバー３の前面および上面の略全面に設けられている格子状の桟６，７の前面側領域を覆うように、多数のフィルタガイド部材によって形成される第１フィルタ移動経路１９に沿って付設されている。
【００２０】
第１フィルタ移動経路１９は、フロントカバー３の桟６，７の表面、吸込みグリル９の下面、フロントカバー３の前面側に設置されているフィルタガイド部材２０、空清フィルタ１７のフィルタ保持枠１８、該フィルタ保持枠１８に対向してフロントカバー３の前面上方部位に設置されているフィルタガイド部材２１、フロントパネル４の裏面にフィルタガイド部材２０と対向配置されているフィルタガイド部材２２等々の多数のフィルタガイド部材によって形成されている。
【００２１】
この第１フィルタ移動経路１９は、筐体５の上面側に沿って形成されている移動経路１９Ａと、筐体５の前面側に沿って形成されている移動経路１９Ｂとから構成されている。また、第１フィルタ移動経路１９を介して室内熱交換器１５の上流側に沿って付設されているエアフィルタ１４は、その上流側面に捕集された塵埃を除去するため、フィルタ清掃機構２３により第１フィルタ移動経路１９内を往復動可能とされている。
【００２２】
フィルタ清掃機構２３は、エアフィルタ１４上に捕集されている塵埃を除去してエアフィルタ１４を自動清掃するものであり、フロントカバー３の前面側の下方部位に設置されている。本実施形態のフィルタ清掃機構２３は、エアフィルタ１４を往復動させるための左右一対の円筒状のフィルタ駆動ローラ２４と、フィルタ駆動ローラ２４の下方に対向配置され、該フィルタ駆動ローラ２４により移動されるエアフィルタ１４の塵埃捕集面から塵埃を掻き取る左右一対の回転ブラシ２５と、該回転ブラシ２５で掻き取った塵埃を回収して溜め込む左右一対の着脱可能なダストボックス２６とを備えた構成とされている。
【００２３】
フィルタ駆動ローラ２４の左右両端部には、歯車２４Ａが設けられており、この歯車２４Ａとエアフィルタ１４の左右両側のフィルタ枠に設けられているラック１４Ａとが噛み合わされている。これによって、フィルタ駆動ローラ２４を介してエアフィルタ１４が第１フィルタ移動経路１９内を往復動可能とされている。なお、このフィルタ駆動ローラ２４は、図示省略のモータを介して正逆回転されるようになっている。
【００２４】
また、フィルタ清掃時に、エアフィルタ１４がフィルタ清掃機構２３のフィルタ駆動ローラ２４を介して移動されたとき、その移動経路を確保するための第２フィルタ移動経路２７および第３フィルタ移動経路２９が筐体５内に形成されている。第２フィルタ移動経路２７は、エアフィルタ１４をフィルタ駆動ローラ２４に沿う湾曲部を介して上方に折り返すための湾曲経路（Ｕターン経路）とされており、フィルタ駆動ローラ２４の外周面と該フィルタ駆動ローラ２４に沿って設けられている湾曲ガイド部材２８とによって形成されている。この第２フィルタ移動経路２７は、第１フィルタ移動経路１９の一端に連続されている。
【００２５】
第３フィルタ移動経路２９は、エアフィルタ１４を室内熱交換器１５の上方部位から外れた位置に導くための経路であり、第２フィルタ移動経路２７のＵターンされた側の端部に連続されている。この第３フィルタ移動経路２９は、室内熱交換器１５の前面側において、フロントパネル４の背面に沿って上下方向に延在されている第１フィルタ移動経路１９の移動経路１９Ｂと、室内熱交換器１５の前面側との間を通して、該移動経路１９Ｂと略平行に上方に延在されている。
【００２６】
また、第３フィルタ移動経路２９は、フロントカバー３の前面側の桟６の表面とフィルタガイド部材２０の後面２０Ａとの間に形成される上方に延在する移動経路２９Ａと、筐体５内の前面上方部位で第１フィルタ移動経路１９と交差してフロントパネル４の背面に延在する、フィルタガイド部材２１とフロントパネル４背面のフィルタガイド部材２２とにより形成される移動経路２９Ｂと、フロントパネル４の背面に沿って下向きに折り返されて下方に延在し、フィルタガイド部材２１の下端付近で第１フィルタ移動経路１９に合流される、フィルタガイド部材２１とフィルタガイド部材２２によって形成される移動経路２９Ｃとから構成されている。
【００２７】
第３フィルタ移動経路２９と第１フィルタ移動経路１９とが交差する位置は、エアフィルタ１４が第３フィルタ移動経路２９に沿って移動される過程で、その一端が交差位置に差し掛かったとき、第１フィルタ移動経路１８を移動しているエアフィルタ１４の他端が交差位置を通過しているように、第２フィルタ移動経路２７のＵターン位置から最遠の上方位置に設定されている。
【００２８】
さらに、上記第１フィルタ移動経路１９の移動経路１９Ｂおよび第３フィルタ移動経路２９の移動経路２９Ｂ，２９Ｃを形成しているフィルタガイド部材２２は、図４、図５に示されるように、フロントカバー３の前面に開閉自在に設けられているフロントパネル４の裏面に固定設置された構成とされている。フロントカバー３の前面に開閉自在に設けられているフロントパネル４は、幅方向の両端上方部に設けられている支持アーム３０の軸部３１を介してフロントカバー３に回動自在に支持され、幅方向の両端下方部に設けられている引っ掛け爪３２を介してフロントカバー３の前面に上部を支点として開閉可能に設置されている。
【００２９】
このフロントパネル４の裏面には、フィルタ清掃時、エアフィルタ１４がフィルタ清掃機構２３を介して上述のように移動される際、エアフィルタ１４の移動をガイドするとともに、エアフィルタ１４の動きを押えるフィルタガイド部材２２が設けられている。フィルタガイド部材２２は、フロントパネル４の裏面の下方部位に設けられている複数箇所の係止部３３に下端縁を差し込み、上端縁をフロントパネル４の裏面の上方部位に設けられている複数箇所の係止部３４に嵌め込むことによって、フロントパネル４に一体に係止めされるように構成されている。フィルタガイド部材２２の係止部３３，３４に対応する部位には、係止部３３，３４に対する嵌着部３５，３６が設けられている。
【００３０】
また、フィルタガイド部材２２は、図４に示されるように、エアフィルタ１４の枠部と接する幅広の縦横格子を備えたもので、フロントカバー３側に設けられているフィルタガイド部材２０，２１等と対向して第１フィルタ移動経路１９の移動経路１９Ｂおよび第３フィルタ移動経路２９の移動経路２９Ｂ，２９Ｃを形成しており、更にフィルタ駆動ローラ２４にエアフィルタ１４を導くフィルタガイド部材２２の下方部位には、エアフィルタ１４をフィルタ駆動ローラ２４側へと押し込む、滑らかに湾曲されながら内側に突出されているフィルタ押え部３７が一体に形成されている。
【００３１】
以上に説明の構成により、本実施形態によれば、以下の作用効果を奏する。
空気調和機１が運転されると、送風機１６の回転により、室内空気が吸込みグリル９および空気吸込み口８を介して筐体５内に吸込まれる。この空気は、エアフィルタ１４および空清フィルタ１７を通過する過程で塵埃、臭気等が除去され、清浄化されて室内熱交換器１５に供給される。そして、該空気が室内熱交換器１５で内部を流通する冷媒と熱交換されて冷却または加熱された後、空気流路１３、空気吹出し口１０を経て室内に吹出されることによって、室内の冷房または暖房に供される。
【００３２】
空気調和機１の運転時間が長くなると、エアフィルタ１４に捕集された塵埃が少しずつ蓄積され、通風抵抗が徐々に増加される。そのまま運転を続けると、圧損が増大し、空気調和機１の運転効率が低下されるため、例えば累積運転時間が設定時間に到達時の運転終了時毎に、フィルタ清掃機構２３を稼働させ、エアフィルタ１４上に蓄積されている塵埃を除去するフィルタ清掃運転を行うようにしている。このフィルタ清掃運転は、フィルタ清掃機構２３のフィルタ駆動ローラ２４および回転ブラシ２５を回転駆動し、第１フィルタ移動経路１９に沿って付設されているエアフィルタ１４を、第２フィルタ移動経路２７を経て第３フィルタ移動経路２９へと移動させることによって行われる。
【００３３】
すなわち、フィルタ駆動ローラ２４の回転により、歯車２４Ａにラック１４Ａを介して噛み合っているエアフィルタ１４が移動され、第１フィルタ移動経路１９から第２フィルタ移動経路２７および第３フィルタ移動経路２９へと往動される。この間、フィルタ駆動ローラ２４と対向配置されている回転ブラシ２５がエアフィルタ１４の塵埃捕集面に接触し、エアフィルタ１４上に蓄積されている塵埃を掻き取り、該塵埃をダストボックス２６内に回収することによって、エアフィルタ１４の塵埃捕集面が自動的に清掃される。
【００３４】
エアフィルタ１４が移動される第１フィルタ移動経路１９と第３フィルタ移動経路２９が途中で交差されているが、第３フィルタ移動経路２９に移動したエアフィルタ１４の一端が第１フィルタ移動経路１９と第３フィルタ移動経路２９の交差位置に差し掛かったとき、エアフィルタ１４の他端は既に交差位置を通過しているため、エアフィルタ１４の端部同士が第３フィルタ移動経路２９と第１フィルタ移動経路１９との交差位置で互いに干渉することはなく、エアフィルタ１４は、第３フィルタ移動経路２９の移動経路２９Ａから移動経路２９Ｂへと交差位置を横切って移動される。
【００３５】
そして、エアフィルタ１４の一端が、第３フィルタ移動経路２９の移動経路２９Ｂからフロントパネル４の裏面に沿って下向きに折り返され、下方に延在されている移動経路２９Ｃを経て第１フィルタ移動経路１９の移動経路１９Ｂに進入し、その他端を追随するように移動してフィルタ駆動ローラ２４の少し手前位置に到達したとき、エアフィルタ１４の全面の清掃が完了すると同時に、エアフィルタ１４の往動が停止される。この間にエアフィルタ１４から回転ブラシ２５により掻き取られた塵埃は、ダストボックス２６内に落下され、回収される。
【００３６】
ダストボックス２６は、一定量の塵埃を溜め込むことができるようになっており、適宜量の塵埃が溜まったとき、ダストボックス２６を筐体５から取り外すことによって、塵埃を廃棄処分することができる。一方、エアフィルタ１４の自動清掃が完了すると、フィルタ駆動ローラ２４が逆回転され、エアフィルタ１４は、上記の第３、第２および第１フィルタ移動経路２９，２７，１９を逆方向に移動され、再び図３に示す第１フィルタ移動経路１９にセットされた通常付設位置へと戻される。
【００３７】
斯くして、本実施形態においては、エアフィルタ１４の移動経路の一部、すなわち、第１フィルタ移動経路１９の移動経路１９Ｂおよび第３フィルタ移動経路２９の移動経路２９Ｂ，２９Ｃが、フロントパネル４の裏面に設けられているフィルタガイド部材２２によって形成されている。つまり、フロントパネル４の裏面に固定設置されているフィルタガイド部材２２は、フロントカバー３側に設けられているフィルタガイド部材２０，２１と対向して設けられ、フィルタガイド部材２０，２１との間で第１フィルタ移動経路１９の移動経路１９Ｂおよび第３フィルタ移動経路２９の移動経路２９Ｂ，２９Ｃを形成しており、この第１フィルタ移動経路１９および第３フィルタ移動経路２９に沿ってエアフィルタ１４が移動可能とされている。
【００３８】
そして、このフィルタガイド部材２２が設けられているフロントパネル４は、フロントカバー３の前面上方部に支持アーム３０の軸部３１を介して上方に回動自在に支持されている。このため、フロントパネル４をその引っ掛け爪３２を外して上方に開放することによって、エアフィルタ１４の移動経路を形成しているフィルタガイド部材２２を同時に開くことができる。従って、フロントパネル４を開放することにより直接エアフィルタ１４に対してアクセスすることが可能となり、フィルタ清掃機構２３を搭載しているにもかかわらず、エアフィルタ１４の着脱を単純化、容易化することができる。また、可動ガイド部材を設ける必要がなく、その構成を簡素化することができる。
【００３９】
また、フィルタ清掃機構２３が、フロントカバー３の前面下方部位に設けられ、フィルタ駆動ローラ２４によりエアフィルタ１４をフィルタ移動経路１９，２７，２９に沿って移動可能に構成されており、更にフロントパネル４の裏面に設けられているフィルタガイド部材２２に、エアフィルタ１４をフィルタ駆動ローラ２４側へと押し込むフィルタ押え部３７が形成されているため、フロントパネル４の裏面に設けられているフィルタガイド部材２２を、フィルタ移動経路１９，２７，２９の一部を形成するフィルタガイドとして機能させることができるのみならず、フィルタ移動経路１９，２７，２９に沿って移動されるエアフィルタ１４をフィルタ駆動ローラ２４側へと押し込むフィルタ押えとしても機能させることができる。
【００４０】
これにより、フィルタ清掃時、エアフィルタ１４をフィルタ移動経路１９，２７，２９に沿って円滑に移動させ、エアフィルタ１４が移動経路１９，２７，２９に引っ掛かり等によるトラブルをなくし、エアフィルタ１４の移動を安定化して確実に自動清掃することができ、フィルタ清掃機構２３の信頼性を向上することができる。
【００４１】
また、フィルタガイド部材２２が、フロントパネル４の裏面の複数箇所に設けられている係止部３３，３４に嵌着部３５，３６を嵌め込むことにより一体に係止めされるようになっているため、フロントパネル４に対してフィルタガイド部材２２をフロントパネル４側の係止部３３，３４にフィルタガイド部材２２側の嵌着部３５，３６を嵌め込むだけで簡単に係止めすることができる。従って、余計な結合手段、部品を用いることなく、フロントパネル４とフィルタガイド部材２２とを一体化することができ、組み立てを容易化することができる。
【００４２】
さらに、フロントパネル４が、左右両端上部を支点にフロントカバー３に対して上下に開閉可能な構成とされているため、フロントパネル４をその上部を支点に上方に開放することにより、エアフィルタ１４に対してフロントカバー３の正面側から直接アクセスすることが可能となる。従って、第１フィルタ移動経路１９にセットされているエアフィルタ１４を、図２に示されている状態から下方に引く抜くことによって簡易に着脱し、容易にメンテナンスすることができ、フィルタ清掃機構２３を備えていない空気調和機と同等の着脱性を確保することができる。
【００４３】
なお、本発明は、上記実施形態にかかる発明に限定されるものではなく、その要旨を逸脱しない範囲において、適宜変形が可能である。例えば、上記実施形態では、壁掛け型の空気調和機１に適用した例について説明したが、これに限らず、他型式の空気調和機にも同様に適用できることは云うまでもない。また、フィルタ清掃機構２３は、エアフィルタ１４が移動される方式であれば、如何なる構成であってもよく、例えば回転ブラシ式である必要はなく、固定式の掻き取りブラシを用いたものであってもよい。
【符号の説明】
【００４４】
１  空気調和機
２  ベース本体
３  フロントカバー
４  フロントパネル
８  空気吸込み口
１４  エアフィルタ
１５  室内熱交換器（熱交換器）
１６  送風機
１９  第１フィルタ移動経路
２２  フィルタガイド部材
２３  フィルタ清掃機構
２４  フィルタ駆動ローラ
２７  第２フィルタ移動経路
２９  第３フィルタ移動経路
３０  支持アーム
３１  軸部
３２  引っ掛け爪
３３，３４  係止部
３５，３６  嵌着部
３７  フィルタ押え部
【図１】
0005627343.tif 000002
【図２】
0005627343.tif 000003
【図３】
0005627343.tif 000004
【図４】
0005627343.tif 000005
【図５】
0005627343.tif 000006